(57)【要約】【課題】生ごみ分別装置の作業環境や稼動効率を向上させるためのオイルミスト除去方法及びその装置を提供する。【解決手段】集塵機９に着脱自在にして、且つ、水平に設置された密閉式格納箱１９にデミスターフィルタ２０が収納され、このデミスターフィルタ２０で、集塵機９内を下方から上方に向って流れる排気ガス（矢印で示す）中のオイルミストを捕捉する。デミスターフィルタ２０は、差圧検知センサ２３により目詰まり状況が常時監視されており、デミスターフィルタ２０に目詰まりが生じた時にその都度、或いは、生ごみ分別装置１の稼動前又は稼動後にスプレー２１を作動させ、デミスターフィルタ２０を洗浄してオイルミストを洗い落とす一方、洗い落とされたオイルミストをドレン２２で回収する。【選択図】  図２
2005058812.tif 000002
【特許請求の範囲】
【請求項１】
生ごみ分別装置による分別処理過程で生ごみ中に含まれる油分が蒸発し、オイルミストとなって排気ガスとともに排出される際に、前記オイルミストをデミスターフィルタで捕捉して除去するようにしたことを特徴とする生ごみ分別装置のオイルミスト除去方法。
【請求項２】
生ごみ分別装置の集塵機に着脱自在にして、且つ、水平に設置された格納箱に、下方から上方に向って流れるオイルミストを含む排気ガスに対向して収納されるデミスターフィルタを備えたことを特徴とする生ごみ分別装置のオイルミスト除去装置。
【請求項３】
前記デミスターフィルタの上方に当該デミスターフィルタを洗浄してオイルミストを洗い落とすための複数の温水又は蒸気スプレーを配設したことを特徴とする請求項２に記載の生ごみ分別装置のオイルミスト除去装置。
【請求項４】
前記デミスターフィルタの下方に洗い落とされたオイルミストの回収装置を設けたことを特徴とする請求項３に記載の生ごみ分別装置のオイルミスト除去装置。
【請求項５】
前記デミスターフィルタの入口側及び出口側に圧力センサを設け、該両圧力センサの差圧が所定値以上になったときに前記スプレーを作動させることを特徴とする請求項３に記載の生ごみ分別装置のオイルミスト除去装置。
【発明の詳細な説明】
【０００１】
【発明が属する技術分野】
本発明は、生ごみを分別・乾燥して堆肥やメタン発酵などに利用するために適した生ごみ分別装置におけるオイルミスト除去方法及びその装置に関する。
【０００２】
【従来の技術】
従来から生ごみの分別装置で、生ごみの乾燥効率を向上させたものがある（例えば、特許文献１）。
この装置では、生ごみを乾燥する気流乾燥機に投入する前に、サイクロンからの排出ガスをホッパーに導入して予め余熱を与え、その顕熱で生ごみの乾燥を行い、乾燥された生ごみが気流に同伴されてサイクロンに投入され、サイクロンで排気ガスと固形分とに分離されるようになっている。
【０００３】
【特許文献１】
特開平１１−２８７５５８（第２〜３頁、図１）
【０００４】
【発明が解決しようとする課題】
しかしながら、上述した装置では、生ごみ中に含まれる油分が処理されていないために、生ごみの処理過程で蒸発し、オイルミストとなってサイクロンから排出されることになる。このため、排出されたオイルミストは、外気により冷却結露しサイクロン周辺壁などに付着して作業環境を著しく悪化させるという問題がある。また、サイクロンの後工程に集塵機が設置されているような場合には、オイルミストが当該集塵機の、例えばプレフィルターやバグフィルター表面に捕捉され目詰まりを生じさせて集塵効率を低下させる。そのため、これらフィルターを洗浄したり交換したりする作業が頻発し、特に、処理量が多い場合には尚更であり、装置の稼動効率が低下するという問題がある。
【０００５】
本発明の目的は、生ごみ分別装置の作業環境や稼動効率を向上させるためのオイルミスト除去方法及びその装置を提供することにある。
【０００６】
【課題を解決するための手段】
上記課題を解決するために、本発明の請求項１に係る生ごみ分別装置のオイルミスト除去方法は、生ごみ分別装置による分別処理過程で生ごみ中に含まれる油分が蒸発し、オイルミストとなって排気ガスとともに排出される際に、前記オイルミストをデミスターフィルタ（金属の細線をたわしのように丸めて絡みあわせたもの）で捕捉して除去する方法で、これにより作業環境の向上及び集塵機のフィルターの目詰まりを回避して稼動効率の向上を図ることができる。
【０００７】
また、本発明の請求項２に係る生ごみ分別装置のオイルミスト除去装置は、生ごみ分別装置の集塵機に着脱自在にして、且つ、水平に設置された格納箱に、下方から上方に向って流れるオイルミストを含む排気ガスに対向して収納されるデミスターフィルタを備えたもので、保守点検が簡便に行える装置でオイルミストを捕捉して除去することにより作業環境の向上及び集塵機のフィルターの目詰まりを回避して稼動効率の向上を図ることができる。
【０００８】
また、本発明の請求項３に係る生ごみ分別装置のオイルミスト除去装置は、デミスターフィルタの上方に当該デミスターフィルタを洗浄してオイルミストを洗い落とすための複数の温水又は蒸気スプレーを配設したもので、これによりデミスターフィルタの洗浄の容易化を図ることができる。
【０００９】
また、本発明の請求項４に係る生ごみ分別装置のオイルミスト除去装置は、デミスターフィルタの下方に洗い落とされたオイルミストの回収装置を設けたもので、これによりオイルミストの回収の効率化を図ることができる。
【００１０】
また、本発明の請求項５に係る生ごみ分別装置のオイルミスト除去装置は、デミスターフィルタの入口側及び出口側に圧力センサを設け、この両圧力センサの差圧が所定値以上になったときに上述のスプレーを作動させるようにしたもので、保守管理の容易化が図れる。
【００１１】
【発明の実施の形態】
本発明の実施の形態に係る生ごみ分別装置のオイルミスト除去装置を図１，２を参照して説明する。
本生ごみ分別装置１は、図１に示すように、破砕機能付きホッパー２、蒸気噴射装置３、乾燥分離ダクト６、回転衝打装置７、サイクロン８、集塵機９、吸引ブロア１０、排風脱臭塔１１で構成され、回転衝打装置７とサイクロン８とが搬送ダクト１２を介して、サイクロン８と集塵機９とが搬送ダクト１３を介して、集塵機９と吸引ブロア１０とが搬送ダクト１４を介して、吸引ブロア１０と排風脱臭塔１１とが搬送ダクト１５を介してそれぞれ接続されている。そして、本生ごみ分別装置１のオイルミスト除去装置１６は、集塵機９の下記円筒部１８に設けられている。尚、９ａは、従来のプレフィルターやバグフィルターである。
【００１２】
破砕機能付きホッパー２は、投入される、例えばビニール袋詰め生ごみの、ビニール袋を破袋し生ごみの絡みを解す３つのスクリュー軸２ａ（図１には、一つのスクリュー軸のみが描かれている）が互いに逆向きに回転する状態にして隣接配置され、当該ホッパー２の底部には解された生ごみを一方側から他方側へ移送するスクリュー軸２ｂがスクリュー軸２ａに平行な態様で配置される構造をなし、スクリュー軸２ｂの下方で当該ホッパー２の底面の一方端に排出口２ｃが設けられていて、その下方に乾燥分離ダクト６が連設されている。上記スクリュー軸２ａのそれぞれは、一定時間ごとに正転・逆転を互いに同期して繰り返すようになっており、また、上記スクリュー軸２ｂは、絡みが解された生ごみを、排出口２ｃを介して上記供給口６ａから乾燥分離ダクト６内に定量的に供給する。
【００１３】
蒸気噴射装置３は、分離ダクト６の取入口６ｂにダクト４ａを介して接続された燃焼バーナなどの補助熱源装置４と、上記ダクト４ａの側壁から差し込まれたダクト５ａに蒸気管を介して接続された蒸気ボイラ５とで構成される。ダクト５ａは、先端部がダクト４ａの中心部で折曲され、その先端に複数の噴射ノズルを並べて構成した広角噴射ノズルが配されている。そして周囲に補助熱源装置４からの熱風の流路が形成される形態が採られている。これにより、広角噴射ノズルから噴射される蒸気と当該噴射ノズルの噴射に伴って吸引される熱風とにより適宜な温度の噴射蒸気を生ぜしめ、かかる噴射蒸気が取入口６ｂを介して乾燥分離ダクト６内に噴射される。
【００１４】
乾燥分離ダクト６は、ホッパー２からある程度絡みが解された状態で生ごみが供給される供給口６ａと、噴射蒸気の取入口６ｂを有する中空円筒状室の内壁に螺旋状に続く突起を設けてなる回転ドラム６ｃとで構成され、当該分離ダクト６の適宜位置には生ごみの湿り気を検知する含水率センサが設けられ、含水率センサからの湿り気情報によりその回転速度が変化し、生ごみの、乾燥分離ダクト６内での貯留時間を調節するとともに、補助熱源装置４を作動させて乾燥できるようになっている。尚、分離ダクト６の、取入口６ｂとは反対側に位置する取出口は回転衝打装置７の投入口７ａに連接されている。
【００１５】
回転衝打装置７は、乾燥分離ダクト６から排出される生ごみの上記投入口７ａ及びビニール袋などの軽質物の排出口７ｂを最上面に設けた中空の円筒状室内に、これら投入口７ａ及び排出口７ｂのやや下方より最下面に向かって回転軸７ｃを垂設し、かかる回転軸７ｃに沿う態様で当該回転軸７ｃの回転に伴いこの回転軸７ｃに対し放射状を呈して振れ回る複数のチェーン７ｄを取り付け、回転軸７ｃの、円筒状室の底面から延出したところに当該回転軸７ｃの駆動部７ｅを配設したものである。そして、この中空円筒状室の最下面の直上でチェーン７ｄより下方の側壁には生ごみの排出口７ｆが付設されている。
【００１６】
サイクロン８は、上部に円筒部が形成され、その下方に逆円錐（円錐台）部が連設されて構成されている。そして上記円筒部の側面に回転衝打装置７から排出される上記軽質物の投入口８ａが、また、上面に粉塵やオイルミストなどを含む排気ガスの排出口８ｂが設けられている。上記逆円錐部の最下端には軽質物を排出する排出口８ｃが設けられ、軽質物が分離できるようになっている。このサイクロン８内では、大きな遠心力が作用する軽質物は、当該サイクロン８の内壁に沿って螺旋状に下降して排出口８ｃから排出される一方、粉塵やオイルミストなどを含む排気ガスは排出口８ｂから排出される。
【００１７】
そして、集塵機９は、粉塵やオイルミストなどを含む排気ガスの投入口１７ａを有する略逆円錐部１７及び上部側面に粉塵やオイルミストが除去された排気ガスの排出口１８ａを有し、上記逆円錐部１７の上部に連設される円筒部１８とで構成され、円筒部１８の最下部に後に詳述するオイルミスト除去装置１６が配設され、また、円筒部１８の略中央部に従来のフィルター９ａが配設されている。
尚、吸引ブロア１０は、回転衝打装置７及びサイクロン８に吸引力を及ぼし、それらに分別処理機能を果たさせるものであり、排風脱臭塔１１は、排気ガス中の臭気分を除去するものである。
【００１８】
本オイルミスト除去装置１６は、図２に示すように、集塵機９に着脱自在にして、且つ、水平に設置された格納箱１９に、下方から上方に向って流れるオイルミストを含む排気ガス（矢印で示す）に対向するようにして収納されるデミスターフィルタ２０で構成されている。そして、本オイルミスト除去装置１６には、デミスターフィルタ２０の上方近接位置に当該デミスターフィルタ２０を洗浄してオイルミストを洗い落とすための複数の温水又は蒸気スプレー２１を配設し、また、デミスターフィルタ２０の下方で、逆円錐部１７の最下部に、洗い落とされたオイルミストを回収するドレン（回収装置）２２を配設し、更に、差圧検知センサ（圧力センサ）２３を、デミスターフィルタ２０に近接させて配設し、当該差圧検知センサ２３の一方の測定位置Ａをデミスターフィルタ２０の上方に配し、他方の測定位置Ｂをデミスターフィルタ２０の下方に配している。尚、２１ａは、蒸気スプレー２１に温水又は蒸気を供給するための配管である。
【００１９】
次に、本廃棄物分別装置１の運転及びこの運転に伴うオイルミスト除去装置１６の動作を説明する。
例えばビニール袋詰め生ごみがホッパー２に投入されると、ホッパー２内では、当該ホッパー２のスクリュー軸２ａによってビニール袋が破袋され生ごみの絡みが解され、これらがスクリュー軸２ｂ上に落下して当該スクリュー軸２ｂによって排出口２ｃから定量ずつ排出され、乾燥分離ダクト６の供給口６ａに供給される。かかる供給口６ａから分離ダクト６内に落下する、絡みが解された状態の生ごみ等に対し蒸気が噴射され、生ごみ等は、かかる蒸気の噴射を受けて更に解される。そして、解された生ごみ等は、乾燥分離ダクト６の回転ドラム６ｃによって攪拌されつつ搬送されるうちに乾燥されて、回転衝打装置７の投入口７ａに投入され、当該回転衝打装置７内に落下する。この回転衝打装置７内では、乾燥生ごみ等は、回転軸７ｃの回転によって振れ回るチェーン７ｄによって繰返し衝打されるとともに攪拌されるうちに、ビニール袋などの軽質物と乾燥生ごみなどの重質物とに分離される。そして、回転衝打装置７の最下面に落下した重質物は、排出口７ｆから排出される。
【００２０】
一方、回転衝打装置７は、上部の排出口７ｂを介して吸引ブロア１０の吸引力の影響を受け、この回転衝打装置７内で繰返し衝打され攪拌されて舞い上がった軽質物、粉塵、オイルミストを含む排気ガスが、上記排出口７ｂから搬送ダクト１２を通りサイクロン８の投入口８ａを介して当該サイクロン８内に移送される。サイクロン８内では、大きな遠心力が作用する軽質物は、サイクロン８の内壁に沿って螺旋状に下降して排気口８ｃから排出される。また、粉塵、オイルミストを含む排気ガスは排出口８ｂから排出されて集塵機９の投入口１７ａを介して当該集塵機９内に移送される。
【００２１】
集塵機９では、移送されて来た排気ガス中のオイルミストをデミスターフィルタ２０で捕捉するとともに、フィルター９ａで粉塵を捕捉する。オイルミストや粉塵が除去された排気ガスは、その後、排風脱臭塔１１で脱臭されて清浄な空気として大気中に放出され、冷やされて凝縮した水分は排水される。
ところで、デミスターフィルタ２０は、差圧検知センサ２３により目詰まり状況が常時監視されており、デミスターフィルタ２０に目詰まりが生じた時にその都度、或いは、生ごみ分別装置１の稼動前又は稼動後にスプレー２１を作動させ、デミスターフィルタ２０を洗浄してオイルミストを洗い落とす一方、洗い落とされたオイルミストはドレン２２で回収される。
【００２２】
【発明の効果】
本発明の生ごみ分別装置のオイルミスト除去方法によれば、排気ガスとともに排出されるオイルミストを集塵機に設けられたデミスターフィルタで捕捉し除去するようにしたので、作業環境の向上及び集塵機のフィルターの目詰まりを回避して稼動効率の向上を図ることができる。
また、本発明の生ごみ分別装置のオイルミスト除去装置によれば、保守点検が簡便に行える装置でオイルミストの捕捉して除去できるようにしたので、作業環境の向上及び集塵機のフィルターの目詰まりを回避して稼動効率の向上を図ることができる。
【図面の簡単な説明】
【図１】本発明の実施の形態に係るオイルミスト除去装置を含む生ごみ分別装置の構成図である。
【図２】図１のオイルミスト除去装置の詳細な構成図である。
【符号の説明】
１                    生ごみ分別装置
９                    集塵機
１６                  オイルミスト除去装置
１９                  密閉式格納箱
２０                  デミスターフィルタ
２１                  温水又は蒸気スプレー
２２                  ドレン（回収装置）
２３                  差圧検知センサ（圧力センサ）
【図１】
2005058812.tif 000003
【図２】
2005058812.tif 000004